(57)【要約】【課題】  商品性が高く、且つファッション性に優れる携帯電話機用ストラップを提供する。【解決手段】  ストラップ１は、クリップ１０と、下げ紐２０と、バックル３０とから構成され、このクリップ１０に両表面塗装を施すことによって、クリップ表面の色調に深み感などを持たせて商品性を高めると共に、両表面を互いに異なる色模様で塗装することによって、クリップ１０と衣服等との色合わせが可能となり、ＴＰＯでファッションを楽しむことができる。【選択図】      図１
2006043375.tif 000002
【特許請求の範囲】
【請求項１】
バックルと下げ紐とクリップとから構成する携帯電話機用ストラップであって、前記クリップに両表面塗装を施したことを特徴とする携帯電話機用ストラップ。
【請求項２】
前記両表面塗装を互いに異なる色模様としたことを特徴とする請求項１に記載の携帯電話機用ストラップ。
【請求項３】
前記クリップをポリカーボネート樹脂で成形し、前記両表面塗装を２層の重ね塗りとしたことを特徴とする請求項１または請求項２に記載の携帯電話機用ストラップ。
【請求項４】
前記下げ紐を光触媒加工部材で構成したことを特徴とする請求項１から請求項３のいずれかに記載の携帯電話機用ストラップ。
【請求項５】
前記下げ紐をコイルスプリング状部材で構成したことを特徴とする請求項１から請求項４のいずれかに記載の携帯電話機用ストラップ。
【請求項６】
前記バックルを着脱可能に形成された雄部と雌部とから構成したことを特徴とする請求項１から請求項５のいずれかに記載の携帯電話機用ストラップ。
【発明の詳細な説明】
【技術分野】
【０００１】  本発明は、携帯電話機の繋留保持に用いる携帯電話機用ストラップ（以下、ストラップと略す）に関する。
【背景技術】
【０００２】  従来のストラップとして、例えば特許文献１に記載されたスライドストラップ（図９に示すもの）がある。
図に示すストラップは、被吊体に対して取付けられる細紐からなる吊紐体３１と、手許側の太紐からなる下げ紐体３２とを、吊紐体３１側の固定体３４と下げ紐体３２側のスライド体３５の２つに分割した止具３３で結合し、下げ紐体３２の端剖にクリップ３６を取着してなる構成である。そして、吊紐体３１を携帯電話機の本体に係着し、他方の下げ紐体３２をクリップ３６の挟着によりポケットの縁等に取付けることにより、またスライド体３５を固定体３４に接近させると、下げ紐体３２は２つ折りになって短くなり、逆にスライド体３５を固定体３４より遠ざかる方向へ引っ張ると、スライドして移動するため下げ紐体３２は１本に引伸ばされて長大になることにより、衣服等に結び付けた状態のままで自由に使用及び収納することができ、且つ操作並びに取り扱いが容易で便利なストラップが提供されている。
【特許文献１】  特開２０００−７９０１２号公報（第１−第３頁、第２図）
【発明の開示】
【発明が解決しようとする課題】
【０００３】  しかしながら、上記特許文献１に記載のストラップは、クリップにより衣服等に結び付けた状態のままで自由に使用及び収納するという取扱性に重きが置かれたものであり、クリップのデザイン性（特にクリップ表面の塗装）に関する記載がなく、商品性に課題があり、さらに、クリップを取付ける衣服等との装飾に関する記載もなく、ファッション性に課題があった。
また、下げ紐体はスライド操作によって伸縮自在ではあるがその操作自体にやや難点があり、また長大になったときの収納性に課題があった。さらに、下げ紐体の抗菌性等についての記載がなく、下げ紐体の衛生面に課題があった。さらにまた、吊紐体と下げ紐体が一体的に繋がった長大なストラップであるので、ストラップ（吊紐体）と携帯電話機本体の係着性にも課題があった。【０００４】  したがって本発明は、商品性の高い携帯電話機用ストラップを提供することを目的としている。
また、他の目的は、クリップと衣服等の色合わせを可能とし、ファッション性に優れる携帯電話機用ストラップを提供することにある。
また、他の目的は、衛生的で、伸縮操作性、収納性及び係着性の良い携帯電話機用ストラップを提供することにある。
【課題を解決するための手段】
【０００５】  請求項１記載の本発明の携帯電話機用ストラップは、バックルと下げ紐とクリップとから構成する携帯電話機用ストラップであって、前記クリップに両表面塗装を施したことを特徴とする。
請求項２記載の本発明は、請求項１に記載の携帯電話機用ストラップにおいて、前記両表面塗装を互いに異なる色模様としたことを特徴とする。
請求項３記載の本発明は、請求項１または請求項２に記載の携帯電話機用ストラップにおいて、前記クリップをポリカーボネート樹脂で成形し、前記両表面塗装を２層の重ね塗りとしたことを特徴とする。
請求項４記載の本発明は、請求項１から請求項３のいずれかに記載の携帯電話機用ストラップにおいて、前記下げ紐を光触媒加工部材で構成したことを特徴とする。
請求項５記載の本発明は、請求項１から請求項４のいずれかに記載の携帯電話機用ストラップにおいて、前記下げ紐をコイルスプリング状部材で構成したことを特徴とする。
請求項６記載の本発明は、請求項１から請求項５のいずれかに記載の携帯電話機用ストラップにおいて、前記バックルを着脱可能に形成された雄部と雌部とから構成したことを特徴とする。
【発明の効果】
【０００６】  本発明によれば、クリップの両表面塗装により、クリップ表面の色調に深み感などを持たせることができ、ストラップの商品性を高める効果がある。
また、異なる色や模様で両表面塗装したクリップを用いることにより、ファッショナブルなストラップが提供される効果がある。
さらに、本発明のストラップは、コイルスプリング状部材から成り伸縮自在な下げ紐を用いることによって取り扱い易く且つ収納し易くなり、下げ紐を光触媒加工することによって衛生的になり、そして、着脱自在なバックルを用いることによって携帯電話機からのストラップの取付け・取外しが簡単に行える効果がある。
【発明を実施するための最良の形態】
【０００７】  本発明の第１の実施の形態による携帯電話機用ストラップは、バックルと下げ紐とクリップとから構成する携帯電話機用ストラップであって、クリップに両表面塗装を施したものである。本実施の形態によれば、クリップに高級感が与えられ、ストラップの商品性を高めることができる。
本発明の第２の実施の形態は、第１の実施の形態による携帯電話機用ストラップにおいて、両表面塗装を互いに異なる色模様としたものである。本実施の形態によれば、クリップ両表面を用いてクリップと衣服等との色合わせが可能になり、ファッション性に優れるストラップが提供される。
本発明の第３の実施の形態は、第１または第２の実施の形態による携帯電話機用ストラップにおいて、クリップをポリカーボネート樹脂で成形し、両表面塗装を２層の重ね塗りとしたものである。本実施の形態によれば、両表面に肉持ちある深み感を持つポリカーボネート樹脂製のクリップが提供される。
本発明の第４の実施の形態は、第１から第３の実施の形態による携帯電話機用ストラップにおいて、下げ紐を光触媒加工部材で構成したものである。本実施の形態によれば、光触媒の抗菌作用や防臭作用で下げ紐が衛生的なものとなる。
本発明の第５の実施の形態は、第１から第４の実施の形態による携帯電話機用ストラップにおいて、下げ紐をコイルスプリング状部材で構成したものである。本実施の形態によれば、伸縮が自在に行えると共に短縮して小さくなりポケット等に収まり易い下げ紐となる。
本発明の第６の実施の形態は、第１から第５の実施の形態による携帯電話機用ストラップにおいて、バックルを着脱可能に形成された雄部と雌部とから構成したものである。本実施の形態によれば、長いストラップを短くすることも可能であり、携帯電話機本体との係着操作が容易となる。
【実施例１】
【０００８】  本発明の第１の実施例の携帯電話機用ストラップ（以下、ストラップと略す）について、図面を参照して説明する。図１は本発明による第１の実施例のストラップを示す斜視図である。図２は図１に示すストラップのクリップの平面断面図である。図３は図２に示すクリップの開口状態断面図である。図４は図１に示すストラップのバックルの分解斜視図である。
本実施例のストラップ１は、図１に示すように、クリップ１０と、下げ紐２０と、バックル３０とから構成される。このクリップ１０は、図２に示すように、下部挟持板１１と上部挟持板１３と操作板１５との３つの部品から構成され、下部挟持板１１及び上部挟持板１３は、例えばポリカーボネート樹脂などのプラスチックで成形されている。
すなわち、クリップ１０は、下部挟持板１１と上部挟持板１３の先端部が操作板１５の回動操作により開閉する構成であって、下部挟持板１１には後方に支持棚１２を設け、上部挟持板１３には後方にヒンジ１４を設け、操作板１５には横断面横長の作動カム１６を設け、下部挟持板１１と上部挟持板１３の後半部を×状にクロスさせて組み合せる際、クロス部と後方部との間に操作坂１５の作動カム１６を横長状にて挟み込み、プラスチックの弾力を利用して下部挟持板１１と上部挟持板１３の先端部が開口するようにヒンジ１４を支持棚１２の上面に一定の押圧状態にて係合させたものである。この構成により、金属製ばねを用いないプラスチック製のクリップが提供される。
そして、本実施例のストラップ１に用いるクリップ１０は、図２及び図３に示すように、下部挟持板１１の表面１１ａと上部挟持板１３の表面１３ａとの両表面に塗装が直に施されている構成である。なお、上記の両表面塗装には、表面１１ａ及び表面１３ａの部分塗装の他に、結果として両表面が塗装される下部挟持板１１及び上部挟持板１３の全体塗装などを含むものとする。【０００９】  次に、クリップ両表面の直接塗装について説明する。
クリップ１０の下部挟持板１１及び上部挟持板１３が、プラスチック素材の場合について説明する。前処理行程では、ペーパ等による研磨、アルコール等による溶剤洗浄、水性クリーニング、素材に応じたアニーリング及びプライマー処理を実施し、塗り行程では、例えばウエット・オン・ウエット法などで重ね塗りを実施する。
ところで、塗料の重ね塗りを繰り返すほどクリップ表面の「肉持ちある深み感」は増すが、塗り工数が増せば価格が上がるので限度があり、商品性と価格性の兼ね合いから、本実施例のクリップでは２層の重ね塗りを採用するものである。
また、本実施例のクリップ塗装では、前処理の一行程として、クリップを所定温度及び所定時間で加熱するガス抜き処理を実施する。この行程の導入によって、塗装の密着性を増し仕上がりを良くすることができる。すなわち、塗装後のクリップ表面にボツボツ等が発生することが防止され、クリップ表面の「艶やかな仕上がり」が確保される。即ち、本実施例のストラップにおいて、クリップの両表面塗装の前処理行程に加熱によるガス抜き処理を導入したストラップの製造方法とすることにより、塗装後のクリップ表面にボツボツ等が発生することが防止され、一段と艶やかな仕上がりが得られる利点がある。
さらに、２層の重ね塗りであるが、同一塗料の重ね塗りでも可であるが、特に一般樹脂塗料とクリヤラッカーとから成る２層塗りを施すと、本実施例のポリカーボネート樹脂で成形したクリップに関しては、肉持ちある深み感と艶やかな仕上がりの両方が得られることが判明した。
なお、クリップの片方の表面または両方の表面に別体の塗装カバーを取付けて、同等の装飾効果を得ることも可能であるが、このような別体を利用する間接塗装の構成には部品点数や取付操作性に難点があるので、本実施例の直接塗装の方が有効である。【００１０】  一方、下げ紐２０は、図１に示すように、Ａ連結部２１と中央伸縮部２２とＢ連結部２３とからなり、これらが一体的に係合された構成である。即ち、Ａ連結部２１がバックル３０の雄部３１に連結され、Ｂ連結部２３がクリップ１０に連結されて、ストラップ１が一体的に形成されている。また、中央伸縮部２２はコイルスプリング状に形成されている。
このようなコイルスプリング状部材で構成する下げ紐２０は、特別な操作もなくその伸縮が自在に行え伸縮操作性に優れていると共に、短縮したときに容積が小さくなりポケット等に収まり易く収納性の良いものとなっている。
さらに、本実施例の下げ紐２０には光触媒加工が施されている。この光触媒加工は、下げ紐２０に光触媒を付着するものであり、例えば光触媒としての酸化チタンを真空蒸着法やスパッタリング法などで付着させるものである。このような光触媒加工（済み）部材で構成する下げ紐２０においては、酸化チタンの自己浄化機能による抗菌作用や防臭作用が発揮され、衛生的なものとなる。
なお、光触媒の付着量が多いほど抗菌性や防臭性が増加する。従って、下げ紐２０がコイルスプリング状部材であることは、その表面積が大きく付着性に優れることに繋がり、本実施例の下げ紐２０は伸縮性と衛生面の両方の特性を兼ね備えた好ましい構成である。
また、拠り紐や編み紐等から成り光触媒加工した下げ紐の構成は、その表面積がさらに大きくなるので衛生面の点から望ましく、その上に、合成樹脂製から成る下げ紐の構成であれば、衛生面に加えて、伸縮性、耐久性などの点から好ましいと言える。【００１１】  さらに、バックル３０は、図４に示すように、雄部３１と雌部３２とから構成される。この雌部３２は、雌部本体３３と、輪を形成し雌部本体３３に結合した細紐３４とから構成される。そして、雄部３１を雌部３２の雌部本体３３に挿入し、雄部３１の爪３５を雌部本体３３の孔縁３６に引っ掛けることにより、逆に挿入された雄部３１の爪３５を内方向に押して爪３５を孔縁３６から外すことにより、雄部３１と雌部３２の着脱が自在である構成となっている。そして、ストラップ１と携帯電話機（図示せず）との取付けは、雄部３１から雌部３２を一旦外してストラップ１の長さを短かなものとし、その雌部３２に結合した細紐３４の輪を携帯電話機に係着し、係着し終わったら雌部３２に雄部３１を再び挿入することによって行われる。【００１２】  上記構成のクリップおよびストラップの動作について説明する。
まず、クリップの動作について説明する。
図３に示すように上部挟持板１３が開口している状態から、操作板１５の垂直状にあるアーム１５ａを後方に回動し水平にすると、アーム１５ａのＪ状部と側壁内面の後方中央内面の肩部１１ｂとの係合により、アーム１５ａの上端部は前方へ移動しながら回動し、側面視横長状になっている作動カム１６も９０度回転すると同時に、前方へ少しずれて縦長状になり、架橋板１１ｃと補助板１３ｂとの上下間隔を広げるため、上部挟持板１３の先端部は下がって開口状態から、図２に示すような閉口状態になる。この閉口状態によって物を挟むことが可能となり、クリップ１０が衣服等のポケットの縁に取付けられる。
逆に、操作板１５を９０度回転させてアーム１５ａを垂直にすると、作動カム１６は上記と逆に後方へ少しずれて横長状になるので、庇部１１ｄを押圧していた反力の作用により上部挟持板１３の先端部は、図３に示すように再び開口状態となる。【００１３】  次に、ストラップの動作について説明する。図５は第１の実施例のストラップを使用した状態図である。
まず、前述のようにストラップ１のバックル３０から雌部３２を外し、その雌部３２の輪に携帯電話機３を取付け、雌部３２をバックル３０に戻す。次に、クリップ１０を開口し、衣服のポケット８の縁を挟む。このとき高級感のあるクリップ１０表面の色模様がよく見えるように取付けて、オシャレをする。そして、下げ紐２０（の中央伸縮部２２）が縮まり短く小さくなったストラップ１と共に、携帯電話機３をポケット８の内側に収める。
電話が架かってきた時は、従来技術のスライド操作などを行わずに、下げ紐２０をそのまま引っ張るだけで伸張してストラップ１を長くし、ポケット８から携帯電話機３を取り出し応答する。話おわったら再び携帯電話機３をポケット８に戻す。
このようにして、ストラップ１（のクリップ１０）を介する携帯電話機３の繋留保持が行われる。この繋留保持により、例えば屈んだ際の電話機落下・損傷が防止される。
ところで、ストラップ１を携帯電話機３から取外す必要が生じた場合は、バックル３０の雌部３２を外し、外した雌部３２（の細紐３４の輪）を携帯電話機３本体から取外す操作が行われる。即ち、長大なストラップ１ではなく、バックル３０を利用し短くしたストラップ１の一部分にて、取外し操作または取付け操作を可能とする構成によって、ストラップ１と携帯電話機３の係着性が改善される。【００１４】  以上のように第１の実施例のストラップでは、クリップの下部挟持板及び上部挟持板の両表面に直接塗装を施す構成により、従来の染色技術や重ね塗り不可の技術では困難であった「肉持ちある深み感」や「艶やかな仕上がり」が得られ、クリップが高級感のある色調を有したものとなり、ストラップの商品性を高めることができる。
また、両表面塗装したクリップには表裏がないので、表裏の両用が可能となって取扱性の良いストラップが提供される。
また、コイルスプリング状で伸縮自在な下げ紐を用いる構成により、伸縮操作性や収納性の良いストラップが提供される。また、下げ紐を光触媒加工する構成により、衛生的なストラップが提供される。さらに、着脱自在な雄部と雌部とから成るバックルを用いる構成により、ストラップと携帯電話機の係着性の良いストラップが提供される。
【実施例２】
【００１５】  本発明の第２の実施例のストラップについて説明する。図６は本発明による第２の実施例のストラップのクリップを示す図であり、図６（ａ）は左側面図、図６（ｂ）は正面図、図６（ｃ）は右側面図である。図７は第２の実施例のストラップを取付ける携帯電話機の斜視図であり、図８は第２の実施例のストラップを使用した状態図である。
本実施例のストラップ２（図８に示す）は、第１の実施例のストラップ１とほぼ同じ構成であり、その異なる点は、第１の実施例のクリップ１０の代わりに、両表面を異なる色や模様で塗装したクリップ４０を用いた構成にある。この両表面を異なる色模様とする構成についてのみ説明し、他の説明は省略する。
本実施例のストラップ２に用いるクリップ４０は、図６に示すように、下部挟持板４１と上部挟持仮４３と操作板４５との３つの部品から構成される。そして、一方の下部挟持板４１の表面４１ａをストライプ色模様に塗装し、他方の上部挟持板４３の表面４３ａを蛍光色に塗装した構成としている。【００１６】  この蛍光色塗装は、図７に示す携帯電話機３の部分表面部６の蛍光色（即ち、電話機のアクセントやポイント装飾の色）に合わせたものである。また、ストライプ色模様塗装は、図８に示すように、携帯電話機３をポケット８に収め、ポケット８の縁にクリップ４０を取付ける利用者の、例えばネクタイ９のストライプ色模様に合わせたものである。
これによって、ある時は、蛍光色側のクリップ表面を選びその蛍光色面を表に向けてクリップ４０を取付けることにより、ポケット８から覗いている携帯電話機３の蛍光色に合わせることができる。また別の時は、ストライプ色模様側のクリップ表面を選びそのストライプ色模様面を表に向けて取付けることにより、ネクタイ９のストライプ色模様に合わせることができ、遊び心でファッションを楽しむことが可能である。
このクリップ表面の塗装として、上記以外に、図７に示す携帯電話機３の側面５の色模様（例えば赤色や黒色）に合わせる塗装、携帯電話機３の主表面部４の色模様（例えばメタリック色やパール色）に合わせる塗装があり、さらに、装飾品（衣服・バッグ・靴など）の流行色や流行模様に合わせる塗装でも良く、いろいろな塗装及びそれらの組合せが可能である。
なお、クリップは比較的安価であるので、いろいろな色模様のクリップを揃え、ＴＰＯ（時・所・場合）に応じることも可能である。また、蛍光色のクリップはファッション性以外に夜間の歩行安全性に役立つ効果もある。【００１７】  以上のように第２の実施例のストラップでは、クリップを異なる色模様で両表面塗装し、それらの表面を両用することにより、クリップ一つでＴＰＯに応じてファッションを楽しむことができ、ファッション性に優れる携帯電話機用ストラップを提供することができる。
【産業上の利用可能性】
【００１８】  以上のように、本発明のストラップは携帯電話機に適用されるが、本ストラップに用いた両表面塗装のクリップは、例えば、文房具やアパレル産業用のクリップとしても利用可能である。
【図面の簡単な説明】
【００１９】
【図１】  本発明による第１の実施例のストラップを示す斜視図
【図２】  図１に示すストラップのクリップの平面断面図
【図３】  図２に示すクリップの開口状態断面図
【図４】  図１に示すストラップのバックルの分解斜視図
【図５】  第１の実施例のストラップを使用した状態図
【図６】  本発明による第２の実施例のストラップのクリップを示す図
【図７】  第２の実施例のストラップを取付ける携帯電話機の斜視図
【図８】  第２の実施例のストラップを使用した状態図
【図９】  従来のストラップを示す斜視図
【符号の説明】
【００２０】１，２          ストラップ
３              携帯電話機
８              ポケット
９              ネクタイ
１０，４０      クリップ
１１，４１      下部挟持板
１１ａ，１３ａ，４１ａ，４３ａ    表面
１３，４３      上部挟持板
１５，４５      操作板
２０            下げ紐
３０            バックル
３１            雄部
３２            雌部
【図１】
2006043375.tif 000003
【図２】
2006043375.tif 000004
【図３】
2006043375.tif 000005
【図４】
2006043375.tif 000006
【図５】
2006043375.tif 000007
【図６】
2006043375.tif 000008
【図７】
2006043375.tif 000009
【図８】
2006043375.tif 000010
【図９】
2006043375.tif 000011